(57)【要約】【課題】自動車の運転手や歩行者への情報のきめ細かな伝達が十分に行える手旗を提供する。【解決手段】所定の情報を表示する矩形状の旗と、旗の上辺に沿って設けられた第一の棒状部と、第一の棒状部を使用者が把持するため旗の上辺に形成された切り欠きと、を備えた。【選択図】図１
0003171590.tif 000002
【実用新案登録請求の範囲】
【請求項１】
所定の情報を表示する矩形状の旗と、該旗の上辺に沿って設けられた第一の棒状部と、前記第一の棒状部を使用者が把持するため前記旗の上辺に形成された切り欠きと、を備えたことを特徴とする手旗。
【請求項２】
前記切り欠きの形状は、矩形、半円形、楕円形、もしくは長円形のいずれかであることを特徴とする請求項１記載の手旗。
【請求項３】
前記旗の下辺に沿って第二の棒状部を設けたことを特徴とする請求項１または２記載の手旗。
【請求項４】
所定の情報を表示する矩形状の旗と、該旗の左右両辺に沿うと共に使用者が把持するため下端に延長するように設けられた第三の棒状部と、を備えたことを特徴とする手旗。
【請求項５】
前記第一の棒状部、前記第二の棒状部、もしくは前記第三の棒状部と前記旗との間が複数のチチもしくは蝶番で連結されていることを特徴とする請求項１から４のいずれか１項記載の手旗。
【請求項６】
前記旗が紙、布もしくはシートからなり、前記第一の棒状部の心材、前記第２の棒状部の心材、もしくは前記第三の棒状部の心材が金属、樹脂、もしくは木材からなることを特徴とする請求項１から５のいずれか一項記載の手旗。
【請求項７】
前記旗の所定の情報は、交通標識、誘導、案内、警告、注意喚起、及び広告のいずれかもしくは組み合わせであり、インク、反射塗料及び、蛍光塗料もしくはこれらの組み合わせで前記情報が表示されていることを特徴とする請求項１から６のいずれか一項記載の手旗。
【考案の詳細な説明】
【技術分野】
【０００１】
本考案は、手旗に係わり、特に交通標識、誘導、案内、警告、注意喚起、及び広告を含む情報を表示する手旗に関する。
【背景技術】
【０００２】
例えば、道路工事現場において、警備員が交通標識、誘導、案内、警告、注意喚起、及び広告を含む情報の記載された手旗を掲げたり、白旗及び赤旗を用いて自動車や通行人を誘導したり、交通誘導用ロボットに誘導灯を回動させて迂回させたりすることが行われている（例えば、特許文献１参照）。
【先行技術文献】
【特許文献】
【０００３】
【特許文献１】特開平８−８３３９４号公報
【考案の概要】
【考案が解決しようとする課題】
【０００４】
しかしながら、上述した技術では、警備員が白旗や赤旗を上げ下げしたり、振り回したりしていただけであり、また、交通誘導用ロボットが誘導灯を上下に回動させるだけであった。このため、前進、停止、迂回、段差有り、頭上注意等の区別がつかず、自動車の運転手や歩行者への情報のきめ細かな伝達が不十分であった。
【０００５】
本考案は、上記問題点に鑑みてなされたもので、自動車の運転手や歩行者への情報のきめ細かな伝達が十分に行える手旗を提供することを目的とする。
【課題を解決するための手段】
【０００６】
上記課題を解決するため、請求項１に係る考案は、所定の情報を表示する矩形状の旗と、該旗の上辺に沿って設けられた第一の棒状部と、前記第一の棒状部を使用者が把持するため前記旗の上辺に形成された切り欠きと、を備えたことを特徴とする。
【０００７】
請求項２記載の考案は、請求項１記載の考案において、前記切り欠きの形状は、矩形、半円形、楕円形、もしくは長円形のいずれかであることを特徴とする。
【０００８】
請求項３記載の考案は、請求項１または２記載の考案において、前記旗の下辺に沿って第二の棒状部を設けたことを特徴とする。
【０００９】
請求項４記載の考案は、所定の情報を表示する矩形状の旗と、該旗の左右両辺に沿うと共に使用者が把持するため下端に延長するように設けられた第三の棒状部と、を備えたことを特徴とする。
【００１０】
請求項５記載の考案は、請求項１から４のいずれか１項記載の考案において、前記第一の棒状部、前記第二の棒状部、もしくは前記第三の棒状部と前記旗との間が複数のチチもしくは蝶番で連結されていることを特徴とする。
【００１１】
請求項６記載の考案は、請求項１から５のいずれか一項記載の考案において、前記旗が紙、布もしくはシートからなり、前記第一の棒状部の心材、前記第２の棒状部の心材、もしくは前記第三の棒状部の心材が金属、樹脂、もしくは木材からなることを特徴とする。
【００１２】
請求項７記載の考案は、請求項１から６のいずれか一項記載の考案において、前記旗の所定の情報は、交通標識、誘導、案内、警告、注意喚起、及び広告のいずれかもしくは組み合わせであり、インク、反射塗料及び、蛍光塗料もしくはこれらの組み合わせで前記情報が表示されていることを特徴とする。
【考案の効果】
【００１３】
本考案によれば、自動車の運転手や歩行者への情報のきめ細かな伝達が十分に行える手旗を提供することが可能となる。
【図面の簡単な説明】
【００１４】
【図１】本考案の第１の実施形態に係る手旗を使用者としての警備員が把持した状態を示す外観図である。
【図２】（ａ）は、図１に示した手旗の正面図であり、（ｂ）は、（ａ）のIIｂ−IIｂ線部分拡大断面図である。
【図３】図２に示した手旗１１−１の変形例を示す正面図である。
【図４】図３に示した手旗１１−２の変形例を示す正面図である。
【図５】図３に示した手旗１１−２の変形例を示す正面図である。
【図６】図３に示した手旗１１−２の変形例を示す正面図である。
【図７】図３に示した手旗１１−２の変形例を示す正面図である。
【図８】図３に示した手旗１１−２の変形例を示す正面図である。
【図９】図３に示した手旗１１−２の変形例を示す正面図である。
【図１０】図３に示した手旗１１−２の変形例を示す正面図である。
【図１１】図３に示した手旗１１−２の変形例を示す正面図である。
【図１２】図３に示した手旗１１−２の変形例を示す正面図である。
【図１３】図２に示した手旗１１−２の変形例を示す正面図である。
【図１４】図１３に示した手旗１１−１２の変形例を示す正面図である。
【図１５】本考案の第２の実施形態に係る手旗の正面図である。
【図１６】図１５に示した手旗の変形例を示す正面図である。
【図１７】図１５に示した手旗の変形例を示す正面図である。
【考案を実施するための形態】
【００１５】
以下に本考案の第１の実施形態について、図面を参照して詳細に説明する。
【００１６】
（第１の実施形態）
図１は、本考案の第１の実施形態に係る手旗を使用者としての警備員が把持した状態を示す外観図であり、図２（ａ）は、図１に示した手旗の正面図であり、図２（ｂ）は、図２（ａ）のIIｂ−IIｂ線部分拡大断面図である。
図１において、警備員１０が左手で手旗１１−１の上部の棒状部を把持している。この手旗１１−１の旗１１−１ａには、「ご注意ください」の注意喚起の情報と、「幅員減少」を示す交通標識と、交通標識の意味である「幅員減少」の文字情報とが記載されている。
【００１７】
この手旗１１−１は、巻物のように巻着付けることができるので、巻いた状態で保管したり運搬したりすることができ、使用時には広げた状態で持つことができるようになっている。
手旗１１−１は、棒状部の中央に切り欠きが形成されているので、持ったときにバランスを取りやすくなり、従来の手旗のように端を持ったときと比較して疲労の度合いを抑制することができるようになっている。
【００１８】
図２（ａ）、（ｂ）において、手旗１１−１は、矩形状の旗１１−１ａと、旗１１−１ａの上辺に第一の棒状部１１−１ｂが設けられ、旗１１−１ａの上部中央に切り欠き（図では矩形状であるが限定されず、半円形、楕円形、長円形でもよい。）１１−１ｃが形成され、旗１１−１ａの下辺に第二の棒状部１１−１ｄが設けられている。
【００１９】
旗１１−１ａのサイズは、高さＨ及び幅Ｗは、例えば共に６０ｃｍが挙げられるが、限定されるものではなく、警備員１０が持ち運びしやすく、かつ使用する現場の状況に応じたサイズであるのが好ましい。
旗１１−１ａの材質は、紙（例えば、上質紙、コート紙、アート紙、もしくは再生紙）、布（例えば、天然繊維、化学繊維もしくはこれらの組み合わせ、例えば木綿、ナイロン）やシート（例えば、ターボリン、綿帆布、ビニロン帆布、エステル帆布、ポリエチレンシート、ビニルシート、オレフェン系シート）が挙げられる。
旗１１−１ａの材質として紙を用いると水には弱いが室内で利用する場合（例えば、イベントやコンサート等）に利用することができ、この場合には布やシートに比べてコストを抑えることができる。
旗１１−１ａの材質として布やシートを用いると水に強いので、室内はもとより屋外での利用に適することになる。
【００２０】
旗１１−１ａには、所定の情報が記載されており、所定の情報は、交通標識、誘導、案内、警告、注意喚起、及び広告のいずれかもしくは組み合わせであり、インク、反射塗料及び、蛍光塗料もしくはこれらの組み合わせで情報が表示されている。
情報の一例として、図には広告１２−１、１２−２、「ご注意ください」の注意喚起、幅員減少の交通標識、及び交通標識の意味が表示されているが限定されるものではない。
【００２１】
第一の棒状部１１−１ｂは、心材１３−１と、心材１３−１に巻き付けられた旗１１−１ａの一部と、固定手段の針１４−１と、を有する。
第一の棒状部１１−１ｂは、使用時に旗１１−１ａが萎れるのを防止するための部材であり、その心材１３−１には、木材（例えば、欅、朴の木等の広葉樹からなる板、杉板、檜板等の針葉樹からなる板、もしくは集成材）、金属（例えば、アルミニウム、鉄、銅、もしくは合金）、もしくは樹脂（例えば、アクリル樹脂、硬質塩ビ板、低発泡塩ビ板、ポリプロピレン、ＡＢＳ樹脂、ポリカーボネート、エポキシ樹脂、フェノール樹脂、メラミン樹脂）が用いられる。
第一の棒状部１１−１ｂは、図では中実の棒であるが、本考案はこれに限定されるものではなく、中空の棒であってもよい。
【００２２】
第一の棒状部１１−１ｂは、例えば旗１１−１ａの上辺の一部に接着剤もしくは粘着テープで巻き付けた後、タッカーの針１４−１で固定される（図では１回だけ巻き付けられているが限定されるものではなく、２回以上巻き付けられてもよい。）。
棒状部１１−１ｂの長さは、旗１１−１ａの上辺の長さに等しいか短く、直径は例えば８ｍｍが挙げられるが、本考案はこれに限定されるものではなく、警備員１０が持ちやすい直径及び長さであるのが好ましい。棒状部１１−１ｂの心材１３−１の長さが旗１１−１ａの上辺の長さより数ｍｍ（例えば、左右５ｍｍ、計１０ｍｍ）短い場合には心材１３−１が旗１１−１ａの一部で覆われるので、心材１３−１が露出することによって警備員１０や歩行者に接触したり、心材１３−１が破損したりする等の不都合を防止することができる。
【００２３】
第二の棒状部１１−１ｄは、使用時に旗１１−１ａが風でばたついたり、警備員１０が向きを変えたときによじれたりするのを抑止するためのものである。第二の棒状部１１−１ｄは第一の棒状部１１−１ｂと同様の構造を有しているので、説明を省略する。
【００２４】
このような手旗１１−１を用いることにより、単なる単色の旗を振ることでは得られない、自動車の運転手や歩行者への情報のきめ細かな伝達が十分に行うことができる。
【００２５】
＜変形例１＞
図３は、図２に示した手旗１１−１の変形例を示す正面図である。
以下、図１、図２に示した部材と同様の部材には共通の符号を用いた。
図３に示した手旗１１−２の図２に示した手旗１１−１との相違点は、第二の棒状部１１−１ｄが無い点である。尚、広告のスペースが空いている場合には、図３に示すように「広告主募集中  01-2345-6789」のように広告主を募集する募集広告を記載してもよい。
このような手旗１１−２においても、図２に示した手旗１１−１と同様の効果が得られる。
また、図３に示す手旗１１−２は、旗１１−２ａの下辺に棒状部が無いため、風に弱いが、室内で利用することができる。この場合には棒状部が一本でよいため、コストを抑えることができる。さらに旗１１−２ａの材質が紙の場合には布やシートに比べてさらにコストを抑えることができる。
【００２６】
＜変形例２＞
図４は、図３に示した手旗１１−２の変形例を示す正面図である。
図４に示した手旗１１−３の図３に示した手旗１１−２との相違点は、警備員が段差を指差しするイラストレーションと、「段差注意」の注意喚起の情報と、広告１２−１、１２−２とが記載されている点である。
このような手旗１１−３においても、図３に示した手旗１１−２と同様の効果が得られる。
【００２７】
＜変形例３＞
図５は、図３に示した手旗１１−２の変形例を示す正面図である。
図５に示した手旗１１−４の図３に示した手旗１１−２との相違点は、警備員が両手を上げて注意を喚起するイラストレーションと、「工事車両が出ます  ご注意ください」の注意喚起の情報と、広告１２−１、１２−２とが記載されている点である。
このような手旗１１−４においても、図３に示した手旗１１−２と同様の効果が得られる。
【００２８】
＜変形例４＞
図６は、図３に示した手旗１１−２の変形例を示す正面図である。
図６に示した手旗１１−５の図３に示した手旗１１−２との相違点は、作業員がパワーショベルの旋回部を旋回させようとするイラストレーションと、「旋回  止まってください」の注意喚起の情報と、広告１２−１、１２−２とが記載されている点である。
このような手旗１１−５においても、図３に示した手旗１１−２と同様の効果が得られる。
【００２９】
＜変形例５＞
図７は、図３に示した手旗１１−２の変形例を示す正面図である。
図７に示した手旗１１−６の図３に示した手旗１１−２との相違点は、トラックが出発するイラストレーションと、「工事車両が出ます  危険  止まってください」の注意喚起の情報と、広告１２−１、１２−２とが記載されている点である。
このような手旗１１−６においても、図３に示した手旗１１−２と同様の効果が得られる。
【００３０】
＜変形例６＞
図８は、図３に示した手旗１１−２の変形例を示す正面図である。
図８に示した手旗１１−７の図３に示した手旗１１−２との相違点は、警備員が起立しているイラストレーションと、「こちらをお通りください  仮歩道」の案内の情報と、広告１２−１、１２−２とが記載されている点である。
このような手旗１１−７においても、図３に示した手旗１１−２と同様の効果が得られる。
【００３１】
＜変形例７＞
図９は、図３に示した手旗１１−２の変形例を示す正面図である。
図９に示した手旗１１−７の図３に示した手旗１１−２との相違点は、サイのイラストレーションと、「工事中につき回り道にご協力ください  ごめんなサイ」の案内の情報と、広告１２−１、１２−２とが記載されている点である。
このような手旗１１−８においても、図３に示した手旗１１−２と同様の効果が得られる。
【００３２】
＜変形例８＞
図１０は、図３に示した手旗１１−２の変形例を示す正面図である。
図１０に示した手旗１１−９の図３に示した手旗１１−２との相違点は、左向き矢印と、「左に進んでください」の案内の情報と、広告１２−１、１２−２とが記載されている点である。
このような手旗１１−９においても、図３に示した手旗１１−２と同様の効果が得られる。
【００３３】
＜変形例９＞
図１１は、図３に示した手旗１１−２の変形例を示す正面図である。
図１１に示した手旗１１−１０の図３に示した手旗１１−２との相違点は、上向き矢印と、「直進  まっすぐ進んでください」の案内の情報と、広告１２−１、１２−２とが記載されている点である。
このような手旗１１−１０においても、図３に示した手旗１１−２と同様の効果が得られる。
【００３４】
＜変形例１０＞
図１２は、図３に示した手旗１１−２の変形例を示す正面図である。
図１２に示した手旗１１−１１の図３に示した手旗１１−２との相違点は、右向き矢印と、「右に進んでください」の案内の情報と、広告１２−１、１２−２とが記載されている点である。
このような手旗１１−１１においても、図３に示した手旗１１−２と同様の効果が得られる。
【００３５】
＜変形例１１＞
図１３は、図２に示した手旗１１−２の変形例を示す正面図である。
図１３に示した手旗１１−１２の図２に示した手旗１１−１との相違点は、第一の棒状部と旗との間が複数のチチ１５ａ〜１５ｄで連結されている点である。
ここで、チチ１５ａ〜１５ｄは、旗１１−１２と同様の材質、すなわち、紙、布、もしくはシートで構成された短冊状の部材である。
このチチ１５ｂとチチ１５ｃとの間の矩形状の開口部が図２の切り欠き１１−１ｃと同様の機能を有する。すなわち、使用者が棒状部１１−１２ｂを持ちやすくする機能を有する（尚、チチ１５ａとチチ１５ｂとの間の棒状部１１−１２ｂもしくはチチ１５ｃとチチ１５ｄとの間の棒状部１１−１２ｂを持ってもよいのは言うまでも無い。）。
尚、本変形例ではチチ１５ａ〜１５ｄを用いて説明したがチチ１５ａ〜１５ｄの代わりに蝶番を用いて手旗を構成してもよい。
このような手旗１１−１２においても、図２に示した手旗１１−１と同様の効果が得られる。
【００３６】
＜変形例１２＞
図１４は、図１３に示した手旗１１−１２の変形例を示す正面図である。
図１４に示した手旗１１−１２の図１３に示した手旗１１−１２との相違点は、第二の棒状部が無い点である。
このような手旗１１−１３においても、図３に示した手旗１１−２と同様の効果が得られる。
【００３７】
（第２の実施形態）
図１５は、本考案の第２の実施形態に係る手旗の正面図である。
図１５に示した手旗１１−１２の図２に示した手旗１１−１との相違点は、第三の棒状部１７ａ、１７ｂを、旗１１−１４ａの左右両辺に沿うと共に使用者が把持するため下端に延長するように設けた点である。棒状部１６ａａ、１６ｂｂは棒状部１６ａ、１６ｂの心材を兼ねる。
【００３８】
すなわち、図１５に示す手旗１１−１４は、所定の情報を表示する矩形状の旗１１−１４ａと、旗１１−１４の左右両辺に沿うと共に使用者が把持するため下端に延長するように設けられた一対の棒状部１６ａ、１６ｂと、を備えた手旗である。
この手旗１１−１４は、使用者が両手でそれぞれ棒状部１６ａａ、１６ｂｂを持って頭上に旗を広げた状態で自動車の運転手や歩行者に視認させるようになっている。
ここで、所定の情報とは、「ご注意ください」の注意喚起の情報と、幅員減少の交通標識と、交通標識の意味である「幅員減少」の文字情報と、広告１２−３とを意味する。
棒状部１６ａ、１６ｂと、旗１１−１４との関係は、図２（ｂ）で示した関係を有しているので、説明を省略する。
このような手旗１１−１４においても、図２に示した手旗１１−１と同様の効果が得られるが、さらにこの手旗１１−１４は警備員が両手で頭上に掲げて使用するため、遠くからの視認性が向上すると共に、広告１２−３の位置が図１１−１に比べて高くなるので広告効果の向上も期待できる。
【００３９】
＜変形例１３＞
図１６は、図１５に示した手旗の変形例を示す正面図である。
図１６に示した手旗１１−１５の図１５に示した手旗１１−１４との相違点は、棒状部１６ａ、１６ｂと旗１１−１５ａとがチチ１７ａ〜１７ｆで連結されている点である（チチ１７ａ〜１７ｆの代わりに蝶番を用いても良い。）。
このような手旗１１−１５においても図１５に示した手旗１１−１４と同様の効果が得られる。
【００４０】
＜変形例１４＞。
図１７は、図１５に示した手旗の変形例を示す正面図である。
図１７に示した手旗１１−１６の図１５に示した手旗１１−１４との相違点は、警備員が両手を上げて注意を喚起するイラストレーションと、「工事車両が出ます  ご注意ください」の注意喚起の情報と、広告１２−３とが記載されている点である。
このような手旗１１−１６においても、図１５に示した手旗１１−１４と同様の効果が得られる。
＜作用効果＞
以上において、本実施形態によれば、旗に文字、交通標識、イラストレーションが記載されているので、手旗を状況に応じて使用することで自動車の運転手や歩行者への情報のきめ細かな伝達が十分に行える。また、手旗の上辺を使用者が持つ場合には通常の旗を持つ場合に比べてバランスを取りやすいので手首への負担が軽減される。
【００４１】
なお、上述した実施の形態は、本考案の好適な実施の形態の一例を示すものであり、本考案はそれに限定されることなく、その要旨を逸脱しない範囲内において、種々変形実施が可能である。例えば、上述の説明では、棒状部材が心材と、心材に巻き付けて固定した旗の一部の場合について説明したが、本考案ではこれに限定されず、旗の上辺及び下辺を袋状に形成し、その袋の内部に心材を挿入するか、または、旗の左右両辺を下端に開口部を有する袋状に形成し、その袋の中に心材を挿入するようにしてもよい。
また、上述した実施の形態では、旗の一方の面に情報が表示された場合で説明したが、本考案はこれに限定されるものではなく、旗の両面に情報が表示されていてもよい。
【００４２】
また、上述した実施の形態では、使用者が警備員の場合で説明したが、本考案は、これに限定されるものではなく、工事現場の作業員であってもよく、イベント会場の係員であってもよく、交通整理の警察官や機動隊員や自衛隊員であってもよい（但し、公務員が使用する場合には広告は外すことになる）。
【符号の説明】
【００４３】
１０    警備員
１１−１、１１−２、１１−３、１１−４、１１−５、１１−６、１１−７、１１−８、１１−９、１１１−１０、１１−１１、１１−１２、１１−１３、１１−１４、１１−１５、１１−１６    手旗
１１−１ａ、１１−２ａ、１１−３ａ、１１−４ａ、１１−５ａ、１１−６ａ、１１−７ａ、１１−８ａ、１１−９ａ、１１−１０ａ、１１−１１ａ、１１−１２ａ、１１−１３ａ、１１−１４ａ、１１−１５ａ、１１−１６ａ    旗
１１−１ｂ、１１−２ｂ、１１−３ｂ、１１−４ｂ、１１−５ｂ、１１−６ｂ、１１−７ｂ、１１−８ｂ、１１−９ｂ、１１−１０ｂ、１１−１１ｂ、１１−１２ｂ、１１−１３ｂ    第一の棒状部
１１−１ｃ、１１−２ｃ、１１−３ｃ、１１−４ｃ、１１−５ｃ、１１−６ｃ、１１−７ｃ、１１−８ｃ、１１−９ｃ、１１−１０ｃ、１１−１１ｃ    切り欠き
１１−１ｄ、１１−２ｄ    第二の棒状部
１２−１、１２−２、１２−３    広告
１３−１、１３−２    心材
１４−１、１４−２    針
１５ａ、１５ｂ、１５ｃ、１５ｄ、１７ａ、１７ｂ、１７ｃ、１７ｄ、１７ｅ、１７ｆ    チチ
１６ａ、１６ｂ    第三の棒状部
【図１】
0003171590.tif 000003
【図２】
0003171590.tif 000004
【図３】
0003171590.tif 000005
【図４】
0003171590.tif 000006
【図５】
0003171590.tif 000007
【図６】
0003171590.tif 000008
【図７】
0003171590.tif 000009
【図８】
0003171590.tif 000010
【図９】
0003171590.tif 000011
【図１０】
0003171590.tif 000012
【図１１】
0003171590.tif 000013
【図１２】
0003171590.tif 000014
【図１３】
0003171590.tif 000015
【図１４】
0003171590.tif 000016
【図１５】
0003171590.tif 000017
【図１６】
0003171590.tif 000018
【図１７】
0003171590.tif 000019
【手続補正書】
【提出日】平成23年9月1日(2011.9.1)
【手続補正１】
【補正対象書類名】実用新案登録請求の範囲
【補正対象項目名】全文
【補正方法】変更
【補正の内容】
【実用新案登録請求の範囲】
【請求項１】
所定の情報を表示する矩形状の旗と、該旗の上辺に沿って設けられた第一の棒状部と、前記第一の棒状部を使用者が把持するため前記旗の上辺に形成された切り欠きと、を備えたことを特徴とする手旗。
【請求項２】
前記切り欠きの形状は、矩形、半円形、楕円形、もしくは長円形のいずれかであることを特徴とする請求項１記載の手旗。
【請求項３】
前記旗の下辺に沿って第二の棒状部を設けたことを特徴とする請求項１または２記載の手旗。
【請求項４】
前記第一の棒状部、前記第二の棒状部と前記旗との間が複数のチチもしくは蝶番で連結されていることを特徴とする請求項１から３のいずれか１項記載の手旗。
【請求項５】
前記旗が紙、布もしくはシートからなり、前記第一の棒状部の心材、前記第２の棒状部の心材が金属、樹脂、もしくは木材からなることを特徴とする請求項１から４のいずれか一項記載の手旗。
【請求項６】
前記旗の所定の情報は、交通標識、誘導、案内、警告、注意喚起、及び広告のいずれかもしくは組み合わせであり、インク、反射塗料及び、蛍光塗料もしくはこれらの組み合わせで前記情報が表示されていることを特徴とする請求項１から５のいずれか一項記載の手旗。
【手続補正２】
【補正対象書類名】明細書
【補正対象項目名】全文
【補正方法】変更
【補正の内容】
【考案の詳細な説明】
【技術分野】
【０００１】
本考案は、手旗に係わり、特に交通標識、誘導、案内、警告、注意喚起、及び広告を含む情報を表示する手旗に関する。
【背景技術】
【０００２】
例えば、道路工事現場において、警備員が交通標識、誘導、案内、警告、注意喚起、及び広告を含む情報の記載された手旗を掲げたり、白旗及び赤旗を用いて自動車や通行人を誘導したり、交通誘導用ロボットに誘導灯を回動させて迂回させたりすることが行われている（例えば、特許文献１参照）。
【先行技術文献】
【特許文献】
【０００３】
【特許文献１】特開平８−８３３９４号公報
【考案の概要】
【考案が解決しようとする課題】
【０００４】
しかしながら、上述した技術では、警備員が白旗や赤旗を上げ下げしたり、振り回したりしていただけであり、また、交通誘導用ロボットが誘導灯を上下に回動させるだけであった。このため、前進、停止、迂回、段差有り、頭上注意等の区別がつかず、自動車の運転手や歩行者への情報のきめ細かな伝達が不十分であった。
【０００５】
本考案は、上記問題点に鑑みてなされたもので、自動車の運転手や歩行者への情報のきめ細かな伝達が十分に行える手旗を提供することを目的とする。
【課題を解決するための手段】
【０００６】
上記課題を解決するため、請求項１に係る考案は、所定の情報を表示する矩形状の旗と、該旗の上辺に沿って設けられた第一の棒状部と、前記第一の棒状部を使用者が把持するため前記旗の上辺に形成された切り欠きと、を備えたことを特徴とする。
【０００７】
請求項２記載の考案は、請求項１記載の考案において、前記切り欠きの形状は、矩形、半円形、楕円形、もしくは長円形のいずれかであることを特徴とする。
【０００８】
請求項３記載の考案は、請求項１または２記載の考案において、前記旗の下辺に沿って第二の棒状部を設けたことを特徴とする。
【０００９】
請求項４記載の考案は、請求項１から３のいずれか１項記載の考案において、前記第一の棒状部、前記第二の棒状部と前記旗との間が複数のチチもしくは蝶番で連結されていることを特徴とする。
【００１０】
請求項５記載の考案は、請求項１から４のいずれか一項記載の考案において、前記旗が紙、布もしくはシートからなり、前記第一の棒状部の心材、前記第２の棒状部の心材が金属、樹脂、もしくは木材からなることを特徴とする。
【００１１】
請求項６記載の考案は、請求項１から５のいずれか一項記載の考案において、前記旗の所定の情報は、交通標識、誘導、案内、警告、注意喚起、及び広告のいずれかもしくは組み合わせであり、インク、反射塗料及び、蛍光塗料もしくはこれらの組み合わせで前記情報が表示されていることを特徴とする。
【考案の効果】
【００１２】
本考案によれば、自動車の運転手や歩行者への情報のきめ細かな伝達が十分に行える手旗を提供することが可能となる。
【図面の簡単な説明】
【００１３】
【図１】本考案の第１の実施形態に係る手旗を使用者としての警備員が把持した状態を示す外観図である。
【図２】（ａ）は、図１に示した手旗の正面図であり、（ｂ）は、（ａ）のIIｂ−IIｂ線部分拡大断面図である。
【図３】図２に示した手旗１１−１の変形例を示す正面図である。
【図４】図３に示した手旗１１−２の変形例を示す正面図である。
【図５】図３に示した手旗１１−２の変形例を示す正面図である。
【図６】図３に示した手旗１１−２の変形例を示す正面図である。
【図７】図３に示した手旗１１−２の変形例を示す正面図である。
【図８】図３に示した手旗１１−２の変形例を示す正面図である。
【図９】図３に示した手旗１１−２の変形例を示す正面図である。
【図１０】図３に示した手旗１１−２の変形例を示す正面図である。
【図１１】図３に示した手旗１１−２の変形例を示す正面図である。
【図１２】図３に示した手旗１１−２の変形例を示す正面図である。
【図１３】図２に示した手旗１１−２の変形例を示す正面図である。
【図１４】図１３に示した手旗１１−１２の変形例を示す正面図である。
【考案を実施するための形態】
【００１４】
以下に本考案の第１の実施形態について、図面を参照して詳細に説明する。
【００１５】
（第１の実施形態）
図１は、本考案の第１の実施形態に係る手旗を使用者としての警備員が把持した状態を示す外観図であり、図２（ａ）は、図１に示した手旗の正面図であり、図２（ｂ）は、図２（ａ）のIIｂ−IIｂ線部分拡大断面図である。
図１において、警備員１０が左手で手旗１１−１の上部の棒状部を把持している。この手旗１１−１の旗１１−１ａには、「ご注意ください」の注意喚起の情報と、「幅員減少」を示す交通標識と、交通標識の意味である「幅員減少」の文字情報とが記載されている。
【００１６】
この手旗１１−１は、巻物のように巻着付けることができるので、巻いた状態で保管したり運搬したりすることができ、使用時には広げた状態で持つことができるようになっている。
手旗１１−１は、棒状部の中央に切り欠きが形成されているので、持ったときにバランスを取りやすくなり、従来の手旗のように端を持ったときと比較して疲労の度合いを抑制することができるようになっている。
【００１７】
図２（ａ）、（ｂ）において、手旗１１−１は、矩形状の旗１１−１ａと、旗１１−１ａの上辺に第一の棒状部１１−１ｂが設けられ、旗１１−１ａの上部中央に切り欠き（図では矩形状であるが限定されず、半円形、楕円形、長円形でもよい。）１１−１ｃが形成され、旗１１−１ａの下辺に第二の棒状部１１−１ｄが設けられている。
【００１８】
旗１１−１ａのサイズは、高さＨ及び幅Ｗは、例えば共に６０ｃｍが挙げられるが、限定されるものではなく、警備員１０が持ち運びしやすく、かつ使用する現場の状況に応じたサイズであるのが好ましい。
旗１１−１ａの材質は、紙（例えば、上質紙、コート紙、アート紙、もしくは再生紙）、布（例えば、天然繊維、化学繊維もしくはこれらの組み合わせ、例えば木綿、ナイロン）やシート（例えば、ターボリン、綿帆布、ビニロン帆布、エステル帆布、ポリエチレンシート、ビニルシート、オレフェン系シート）が挙げられる。
旗１１−１ａの材質として紙を用いると水には弱いが室内で利用する場合（例えば、イベントやコンサート等）に利用することができ、この場合には布やシートに比べてコストを抑えることができる。
旗１１−１ａの材質として布やシートを用いると水に強いので、室内はもとより屋外での利用に適することになる。
【００１９】
旗１１−１ａには、所定の情報が記載されており、所定の情報は、交通標識、誘導、案内、警告、注意喚起、及び広告のいずれかもしくは組み合わせであり、インク、反射塗料及び、蛍光塗料もしくはこれらの組み合わせで情報が表示されている。
情報の一例として、図には広告１２−１、１２−２、「ご注意ください」の注意喚起、幅員減少の交通標識、及び交通標識の意味が表示されているが限定されるものではない。
【００２０】
第一の棒状部１１−１ｂは、心材１３−１と、心材１３−１に巻き付けられた旗１１−１ａの一部と、固定手段の針１４−１と、を有する。
第一の棒状部１１−１ｂは、使用時に旗１１−１ａが萎れるのを防止するための部材であり、その心材１３−１には、木材（例えば、欅、朴の木等の広葉樹からなる板、杉板、檜板等の針葉樹からなる板、もしくは集成材）、金属（例えば、アルミニウム、鉄、銅、もしくは合金）、もしくは樹脂（例えば、アクリル樹脂、硬質塩ビ板、低発泡塩ビ板、ポリプロピレン、ＡＢＳ樹脂、ポリカーボネート、エポキシ樹脂、フェノール樹脂、メラミン樹脂）が用いられる。
第一の棒状部１１−１ｂは、図では中実の棒であるが、本考案はこれに限定されるものではなく、中空の棒であってもよい。
【００２１】
第一の棒状部１１−１ｂは、例えば旗１１−１ａの上辺の一部に接着剤もしくは粘着テープで巻き付けた後、タッカーの針１４−１で固定される（図では１回だけ巻き付けられているが限定されるものではなく、２回以上巻き付けられてもよい。）。
棒状部１１−１ｂの長さは、旗１１−１ａの上辺の長さに等しいか短く、直径は例えば８ｍｍが挙げられるが、本考案はこれに限定されるものではなく、警備員１０が持ちやすい直径及び長さであるのが好ましい。棒状部１１−１ｂの心材１３−１の長さが旗１１−１ａの上辺の長さより数ｍｍ（例えば、左右５ｍｍ、計１０ｍｍ）短い場合には心材１３−１が旗１１−１ａの一部で覆われるので、心材１３−１が露出することによって警備員１０や歩行者に接触したり、心材１３−１が破損したりする等の不都合を防止することができる。
【００２２】
第二の棒状部１１−１ｄは、使用時に旗１１−１ａが風でばたついたり、警備員１０が向きを変えたときによじれたりするのを抑止するためのものである。第二の棒状部１１−１ｄは第一の棒状部１１−１ｂと同様の構造を有しているので、説明を省略する。
【００２３】
このような手旗１１−１を用いることにより、単なる単色の旗を振ることでは得られない、自動車の運転手や歩行者への情報のきめ細かな伝達が十分に行うことができる。
【００２４】
＜変形例１＞
図３は、図２に示した手旗１１−１の変形例を示す正面図である。
以下、図１、図２に示した部材と同様の部材には共通の符号を用いた。
図３に示した手旗１１−２の図２に示した手旗１１−１との相違点は、第二の棒状部１１−１ｄが無い点である。尚、広告のスペースが空いている場合には、図３に示すように「広告主募集中  01-2345-6789」のように広告主を募集する募集広告を記載してもよい。
このような手旗１１−２においても、図２に示した手旗１１−１と同様の効果が得られる。
また、図３に示す手旗１１−２は、旗１１−２ａの下辺に棒状部が無いため、風に弱いが、室内で利用することができる。この場合には棒状部が一本でよいため、コストを抑えることができる。さらに旗１１−２ａの材質が紙の場合には布やシートに比べてさらにコストを抑えることができる。
【００２５】
＜変形例２＞
図４は、図３に示した手旗１１−２の変形例を示す正面図である。
図４に示した手旗１１−３の図３に示した手旗１１−２との相違点は、警備員が段差を指差しするイラストレーションと、「段差注意」の注意喚起の情報と、広告１２−１、１２−２とが記載されている点である。
このような手旗１１−３においても、図３に示した手旗１１−２と同様の効果が得られる。
【００２６】
＜変形例３＞
図５は、図３に示した手旗１１−２の変形例を示す正面図である。
図５に示した手旗１１−４の図３に示した手旗１１−２との相違点は、警備員が両手を上げて注意を喚起するイラストレーションと、「工事車両が出ます  ご注意ください」の注意喚起の情報と、広告１２−１、１２−２とが記載されている点である。
このような手旗１１−４においても、図３に示した手旗１１−２と同様の効果が得られる。
【００２７】
＜変形例４＞
図６は、図３に示した手旗１１−２の変形例を示す正面図である。
図６に示した手旗１１−５の図３に示した手旗１１−２との相違点は、作業員がパワーショベルの旋回部を旋回させようとするイラストレーションと、「旋回  止まってください」の注意喚起の情報と、広告１２−１、１２−２とが記載されている点である。
このような手旗１１−５においても、図３に示した手旗１１−２と同様の効果が得られる。
【００２８】
＜変形例５＞
図７は、図３に示した手旗１１−２の変形例を示す正面図である。
図７に示した手旗１１−６の図３に示した手旗１１−２との相違点は、トラックが出発するイラストレーションと、「工事車両が出ます  危険  止まってください」の注意喚起の情報と、広告１２−１、１２−２とが記載されている点である。
このような手旗１１−６においても、図３に示した手旗１１−２と同様の効果が得られる。
【００２９】
＜変形例６＞
図８は、図３に示した手旗１１−２の変形例を示す正面図である。
図８に示した手旗１１−７の図３に示した手旗１１−２との相違点は、警備員が起立しているイラストレーションと、「こちらをお通りください  仮歩道」の案内の情報と、広告１２−１、１２−２とが記載されている点である。
このような手旗１１−７においても、図３に示した手旗１１−２と同様の効果が得られる。
【００３０】
＜変形例７＞
図９は、図３に示した手旗１１−２の変形例を示す正面図である。
図９に示した手旗１１−７の図３に示した手旗１１−２との相違点は、サイのイラストレーションと、「工事中につき回り道にご協力ください  ごめんなサイ」の案内の情報と、広告１２−１、１２−２とが記載されている点である。
このような手旗１１−８においても、図３に示した手旗１１−２と同様の効果が得られる。
【００３１】
＜変形例８＞
図１０は、図３に示した手旗１１−２の変形例を示す正面図である。
図１０に示した手旗１１−９の図３に示した手旗１１−２との相違点は、左向き矢印と、「左に進んでください」の案内の情報と、広告１２−１、１２−２とが記載されている点である。
このような手旗１１−９においても、図３に示した手旗１１−２と同様の効果が得られる。
【００３２】
＜変形例９＞
図１１は、図３に示した手旗１１−２の変形例を示す正面図である。
図１１に示した手旗１１−１０の図３に示した手旗１１−２との相違点は、上向き矢印と、「直進  まっすぐ進んでください」の案内の情報と、広告１２−１、１２−２とが記載されている点である。
このような手旗１１−１０においても、図３に示した手旗１１−２と同様の効果が得られる。
【００３３】
＜変形例１０＞
図１２は、図３に示した手旗１１−２の変形例を示す正面図である。
図１２に示した手旗１１−１１の図３に示した手旗１１−２との相違点は、右向き矢印と、「右に進んでください」の案内の情報と、広告１２−１、１２−２とが記載されている点である。
このような手旗１１−１１においても、図３に示した手旗１１−２と同様の効果が得られる。
【００３４】
＜変形例１１＞
図１３は、図２に示した手旗１１−２の変形例を示す正面図である。
図１３に示した手旗１１−１２の図２に示した手旗１１−１との相違点は、第一の棒状部と旗との間が複数のチチ１５ａ〜１５ｄで連結されている点である。
ここで、チチ１５ａ〜１５ｄは、旗１１−１２と同様の材質、すなわち、紙、布、もしくはシートで構成された短冊状の部材である。
このチチ１５ｂとチチ１５ｃとの間の矩形状の開口部が図２の切り欠き１１−１ｃと同様の機能を有する。すなわち、使用者が棒状部１１−１２ｂを持ちやすくする機能を有する（尚、チチ１５ａとチチ１５ｂとの間の棒状部１１−１２ｂもしくはチチ１５ｃとチチ１５ｄとの間の棒状部１１−１２ｂを持ってもよいのは言うまでも無い。）。
尚、本変形例ではチチ１５ａ〜１５ｄを用いて説明したがチチ１５ａ〜１５ｄの代わりに蝶番を用いて手旗を構成してもよい。
このような手旗１１−１２においても、図２に示した手旗１１−１と同様の効果が得られる。
【００３５】
＜変形例１２＞
図１４は、図１３に示した手旗１１−１２の変形例を示す正面図である。
図１４に示した手旗１１−１２の図１３に示した手旗１１−１２との相違点は、第二の棒状部が無い点である。
このような手旗１１−１３においても、図３に示した手旗１１−２と同様の効果が得られる。
【００３６】
＜作用効果＞
以上において、本実施形態によれば、旗に文字、交通標識、イラストレーションが記載されているので、手旗を状況に応じて使用することで自動車の運転手や歩行者への情報のきめ細かな伝達が十分に行える。また、手旗の上辺を使用者が持つ場合には通常の旗を持つ場合に比べてバランスを取りやすいので手首への負担が軽減される。
【００３７】
なお、上述した実施の形態は、本考案の好適な実施の形態の一例を示すものであり、本考案はそれに限定されることなく、その要旨を逸脱しない範囲内において、種々変形実施が可能である。例えば、上述の説明では、棒状部材が心材と、心材に巻き付けて固定した旗の一部の場合について説明したが、本考案ではこれに限定されず、旗の上辺及び下辺を袋状に形成し、その袋の内部に心材を挿入するか、または、旗の左右両辺を下端に開口部を有する袋状に形成し、その袋の中に心材を挿入するようにしてもよい。
また、上述した実施の形態では、旗の一方の面に情報が表示された場合で説明したが、本考案はこれに限定されるものではなく、旗の両面に情報が表示されていてもよい。
【００３８】
また、上述した実施の形態では、使用者が警備員の場合で説明したが、本考案は、これに限定されるものではなく、工事現場の作業員であってもよく、イベント会場の係員であってもよく、交通整理の警察官や機動隊員や自衛隊員であってもよい（但し、公務員が使用する場合には広告は外すことになる）。
【符号の説明】
【００３９】
１０    警備員
１１−１、１１−２、１１−３、１１−４、１１−５、１１−６、１１−７、１１−８、１１−９、１１１−１０、１１−１１、１１−１２、１１−１３    手旗
１１−１ａ、１１−２ａ、１１−３ａ、１１−４ａ、１１−５ａ、１１−６ａ、１１−７ａ、１１−８ａ、１１−９ａ、１１−１０ａ、１１−１１ａ、１１−１２ａ、１１−１３ａ    旗
１１−１ｂ、１１−２ｂ、１１−３ｂ、１１−４ｂ、１１−５ｂ、１１−６ｂ、１１−７ｂ、１１−８ｂ、１１−９ｂ、１１−１０ｂ、１１−１１ｂ、１１−１２ｂ、１１−１３ｂ    第一の棒状部
１１−１ｃ、１１−２ｃ、１１−３ｃ、１１−４ｃ、１１−５ｃ、１１−６ｃ、１１−７ｃ、１１−８ｃ、１１−９ｃ、１１−１０ｃ、１１−１１ｃ    切り欠き
１１−１ｄ、１１−２ｄ    第二の棒状部
１２−１、１２−２    広告
１３−１、１３−２    心材
１４−１、１４−２    針
１５ａ、１５ｂ、１５ｃ、１５ｄ    チチ
【手続補正３】
【補正対象書類名】図面
【補正対象項目名】図１５
【補正方法】削除
【補正の内容】
【手続補正４】
【補正対象書類名】図面
【補正対象項目名】図１６
【補正方法】削除
【補正の内容】
【手続補正５】
【補正対象書類名】図面
【補正対象項目名】図１７
【補正方法】削除
【補正の内容】